(57)【要約】【課題】枕使用者の後頭部を冷却しつつ首筋を温めて快適な睡眠を誘う温度調整が可能な寝具用枕を作製し、しかも温度の異なる区画の境界には急激な温度差が生じないようにし、できるだけ広い接触面積で穏やかに境界温度域を形成し、深い睡眠を誘う快適な使用ができる寝具用枕とすることである。【解決手段】寝具用枕Ａ内に複数形成される閉鎖空間区の内側からみて表側布１が覆われるように天幕状仕切り布４を設け、天幕状仕切り布４は、表側布１の裏側に横幕状仕切り布３の縁部を縫着し、表側布１の裏側と天幕状仕切り布４の表側との隙間に、繊維系多孔質材５を充填して緩衝性区画を設け、天幕状仕切り布４の裏側には蓄熱性および放熱性を有する粒状充填材６ａ，６ｂを収容して畜・放熱性区画を設ける。枕の使用者Ｂの後頭部は、粒状充填材６ｂから充分な冷却作用を受け、首筋部は、緩衝性区画の繊維系多孔質材５を介して穏やかに粒状充填材６aに含有される火山灰からの遠赤外線で温められる。【選択図】図２
2019017647.tif 000002
【特許請求の範囲】
【請求項１】
寝具用枕の布製袋内側に対向する表・裏側布に横幕状仕切り布を架け渡して係止すると共に、前記横幕状仕切り布を前記表・裏側布に沿って横長に延長して複数の閉鎖空間区を設けた枕からなり、前記各閉鎖空間区内の前記表側布の裏側を覆う天幕状仕切り布を前記横幕状仕切り布と一体に前記表側布に係止して設け、前記各閉鎖空間区内の前記天幕状仕切り布の表側に繊維系多孔質材を収容した緩衝性区画を設け、前記天幕状仕切り布の裏側には蓄熱性および放熱性を有する粒状充填材を収容した畜・放熱性区画を設けたことを特徴とする寝具用枕。
【請求項２】
上記蓄熱性および放熱性を有する粒状充填材が、火山灰またはシラス粉末を含有する合成樹脂からなる中空の粒状充填材である請求項１に記載の寝具用枕。
【請求項３】
上記蓄熱性および放熱性を有する粒状充填材が、潜熱蓄熱材を含有する合成樹脂からなる中空の粒状充填材である請求項１に記載の寝具用枕。
【請求項４】
上記潜熱蓄熱材が、融点２２〜３７℃のパラフィン系潜熱蓄熱材である請求項３に記載の寝具用枕。
【請求項５】
上記複数の閉鎖空間区のうち少なくとも１つを後頭部支持用、他の少なくとも１つを首筋部支持用に配置し、前記後頭部支持用の閉鎖空間区の天幕状仕切り布の裏側に、融点２２〜３７℃のパラフィン系潜熱蓄熱材を有する合成樹脂からなる中空の粒状充填材を収容し、かつ前記首筋部支持用の閉鎖空間区の天幕状仕切り布の裏側には、火山灰を含有する合成樹脂からなる中空の粒状充填材を収容した請求項１〜４のいずれかに記載の寝具用枕。
【発明の詳細な説明】
【技術分野】
【０００１】
この発明は、枕用充填材が収容されている寝具用枕に関するものである。
【背景技術】
【０００２】
一般に、寝具用枕には、羽毛、蕎麦殻、パンヤ、合成樹脂製のパイプや中空ビーズ等の充填材を収容することが知られており、近年では寝具用枕内に収容する充填材を小袋に分けて、需要者の要望に応じ、適当な材質と量で充填材を補充できるオーダーメイドの枕が知られている。
【０００３】
例えば、後頭部と首筋部とをそれぞれ個別に使用者の好む高さ、硬さ、体感温度等で支持できるように、羽毛、パンヤ、ソバガラ、合成樹脂製の繊維や中空小片の詰め物を用いることが知られている（特許文献１）。
【０００４】
また、枕などの寝具の内装材として、シラス粉末を原料とし、それらを粉砕して平均粒径１〜５０μｍに微粉砕し、更に焼成して得られるシラスバル−ンを塗料の成分とし、これを枕などの寝具の表面や内装材に塗布し、または混合成形してマイナスイオンの発生を期待できることが公知である（特許文献２）。
【０００５】
また、融点２２〜３７℃のパラフィン系潜熱蓄熱材を内包するマイクロカプセル粉末を分散状態で保持させた樹脂製の中空粒体の集合物からなる枕用の粒状充填材が公知である（特許文献３）。
【先行技術文献】
【特許文献】
【０００６】
【特許文献１】実開平６−２６６３９号公報
【特許文献２】特開２００７−９７７５３号公報
【特許文献３】特開２０１５−１０７３００号公報
【発明の概要】
【発明が解決しようとする課題】
【０００７】
しかし、上記した特許文献１に開示されている高さ調節の可能な寝具用枕は、後頭部と首筋部とに、それぞれ羽毛、パンヤ、ソバガラ、合成樹脂製の繊維や中空小片の充填材を選択しても、頭部や肌に感じられる体感温度は、充填材の熱伝導性の差に留まり、あまり大きく変化するものではなかった。
【０００８】
また、特許文献２に記載されているように、シラス粉末を用いた粒状の充填材は、マイナスイオンの発生を目的としているので、空気に触れるように塗布した状態で使用することや、摩擦などの機械的な刺激を与える必要もあるとされるものであり、樹脂に練り込む態様はあまり推奨されるものではなかった。
【０００９】
さらにまた、特許文献３に開示されている枕用充填材は、所定の範囲の融点が選択された潜熱蓄熱材を用いることによって、皮膚を冷却する機能に優れるが、他の充填材を併用することや、皮膚の特定の部位に選択的に作用することについての記載はない。
【００１０】
そこで、この発明の課題は、上記した問題点を解決し、枕の使用者の後頭部を冷却しつつ首筋などの特定の部位は温めて快適な睡眠を誘う温度調整が可能な寝具用枕であり、しかもできるだけ広い接触面積で穏やかな温度勾配を形成できるようにし、これにより低刺激で快適な使用感の得られる寝具用枕とすることである。
【課題を解決するための手段】
【００１１】
上記の課題を解決するために、この発明においては、寝具用枕の布製袋内側に対向する表・裏側布に横幕状仕切り布を架け渡して係止すると共に、前記横幕状仕切り布を前記表・裏側布に沿って横長に延長して複数の閉鎖空間区を設けた枕からなり、前記各閉鎖空間区内の前記表側布の裏側を覆う天幕状仕切り布を前記横幕状仕切り布と一体に前記表側布に係止して設け、前記各閉鎖空間区内の前記天幕状仕切り布の表側に繊維系多孔質材を収容した緩衝性区画を設け、前記天幕状仕切り布の裏側には蓄熱性および放熱性を有する粒状充填材を収容した畜・放熱性区画を設けた寝具用枕としたのである。
【００１２】
上記したように構成されるこの発明の寝具用枕は、各閉鎖空間区内の前記表側布を覆うように、天幕状仕切り布を前記表側布の裏側に前記横幕状仕切り布と一体に係止して設けたことにより、各閉鎖空間区内の天幕状仕切り布が横幕状仕切り布と一体に表側布の裏側に係止され、天幕状仕切り布の横幕状仕切り布との係止部から離れた部分ほど、表側布の裏側に大きく張り出すように撓むので、表側布に受ける負荷が大きい中央部分ほど大きく凹んでハンモックのように変形する。
【００１３】
この状態で天幕状仕切り布の表側は、繊維系多孔質材が収容された緩衝性区画であり、また天幕状仕切り布の裏側には、蓄熱性および放熱性を有する粒状充填材が収容された畜・放熱性区画が接している。
【００１４】
そのため、枕の使用者が頭部および首筋部を各閉鎖空間区上の表側布に乗せると、その負荷によって天幕状仕切り布は、ハンモック状の曲面状に撓んだ状態で、平面に比べて広い面積で畜・放熱性区画に接し、そこからの熱量が効率よく緩衝性区画に伝わる。
また首筋部およびそれ以外の頭部は、天幕状仕切り布と同様に変形可能な表側布に接して、その裏面側の繊維系多孔質材を介し、蓄熱性および放熱性を有する粒状充填材から充分な放熱作用または充分な吸熱作用による温熱または冷却作用を受け、頭部および首筋部にそれらの熱量が効率よく伝わる。
【００１５】
このとき、首筋部およびそれ以外の頭部は、表側布に対する接触面積に応じてそれぞれ放熱作用または吸熱作用を受けるが、それらの熱量は、クッション性のある緩衝性区画の繊維系多孔質材を介して穏やかに皮膚に伝わるので、皮膚の神経を大きく刺激することがなく、結果的に深い睡眠を誘うような快適な使用感の得られる寝具用枕になる。
【００１６】
上記蓄熱性および放熱性を有する粒状充填材が、火山灰またはシラス粉末を含有する合成樹脂からなる中空の粒状充填材であるものは、体温から伝わる熱量の蓄積量が大きく、また蓄積された熱量が遠赤外線となって放射される割合が高いので、皮膚の内部まで暖かさが伝わって、冬季の低温下でも快適に使用できる寝具用枕となる。
【００１７】
特に、火山灰のうち、一般にシラスと称されるものは、粒径が小さく、体温で加熱されると遠赤外線が発生しやすく、しかも多孔質であるので、活性炭と同様な脱臭性能も備えたものであり、イソ吉草酸等の体臭に対する消臭性も有している。
【００１８】
また、上記蓄熱性および放熱性を有する粒状充填材が、潜熱蓄熱材を含有する合成樹脂からなる中空の粒状充填材であってもよい。
【００１９】
潜熱蓄熱材は、合成樹脂からなる中空の粒状充填材にマイクロカプセル化する等して、分散状態に含有させておき、融点以下に冷却して固形状とした状態にしておくと、融点以上に加熱されるとき、融解熱の吸熱反応により冷却材として作用する。
【００２０】
また、上記潜熱蓄熱材は、融点２２〜３７℃のパラフィン系潜熱蓄熱材であるものを採用することにより、皮膚から伝わる体温で冷却材として作用する。
【００２１】
特に、上記複数の閉鎖空間区のうち少なくとも１つを後頭部支持用、他の少なくとも１つを首筋部支持用に配置し、前記後頭部支持用の閉鎖空間区の天幕状仕切り布の裏側に、融点２２〜３７℃のパラフィン系潜熱蓄熱材を有する合成樹脂からなる中空の粒状充填材を収容し、かつ前記首筋部支持用の閉鎖空間区の天幕状仕切り布の裏側には、火山灰を含有する合成樹脂からなる中空の粒状充填材を収容することにより、枕の使用者が首筋部を火山灰から放射される遠赤外線で温めながら、しかも後頭部をパラフィン系潜熱蓄熱材で持続的に冷却することができる。
【００２２】
これによって、枕の使用者の後頭部を適温に冷却しつつ首筋を適温に温めて快適な睡眠を誘う温度調整が可能な寝具用枕になり、また前記同様に、クッション性のある緩衝性区画の繊維系多孔質材を介して穏やかに皮膚に伝わるので、快適に使用できる寝具用枕となる。
【発明の効果】
【００２３】
この発明は、上述のように寝具用枕の布製袋の表側布は、ハンモック状に撓む曲面に沿って首筋部およびそれ以外の頭部を包み込んで荷重を支持し、さらに繊維系多孔質材を介して蓄熱性および放熱性を有する粒状充填材から効率よく伝わる放熱作用または吸熱作用により、穏やかでありかつ充分に所定の皮膚を温めまたは冷却することができるので、枕の使用者は効率よくしかも充分な熱量の温熱および冷熱作用を受け、極めて快適に使用できる寝具用枕となる利点がある。
【００２４】
また、枕の使用者の後頭部を冷却しつつ首筋は温めて快適な睡眠を誘う温度調整が可能な寝具用枕であるから、より快適に使用できる寝具用枕となる利点もある。
【図面の簡単な説明】
【００２５】
【図１】実施形態の寝具用枕を示す斜視図
【図２】図１のII-II線の要部断面図
【図３】図１の一部を切り欠いて示す要部拡大側面図
【図４】図３に示される部分の他の例を説明する要部拡大側面図
【図５】図１の底面図
【図６】実施形態の使用状態を示す断面図
【発明を実施するための形態】
【００２６】
この発明の実施形態を以下に添付図面に基づいて説明する。
図１〜６に示すように、実施形態は、寝具用枕（以下、単に枕ともいう。）Ａの略長方形状の布製袋の内側に対向する表側布１と裏側布２とに、横幕状仕切り布３を架け渡して縫着し、横幕状仕切り布３を表側布１および裏側布２とに沿って横長に延長して、７つの閉鎖空間区（ａ，ｂ，ｃ，ｄ，ｅ，ｆ，ｇ）を区画して設け、閉鎖空間区ｆを使用者Ｂ（図６参照）の首筋部（Ｂ２）支持用とし、それ以外の閉鎖空間区（ａ，ｂ，ｃ，ｄ，ｅ，ｇ）を頭部支持用の所要位置に配置している。
【００２７】
特に、枕Ａの中央に配置される閉鎖空間区ｄは、使用者Ｂ（図６参照）の後頭部Ｂ１が接触する部分であり、また閉鎖空間区ａと閉鎖空間区ｃは、横向きになった使用者Ｂの頬Ｂ３が接触する部分となる。
【００２８】
図示した実施形態では、枕Ａ内の閉鎖空間区（ａ，ｂ，ｃ，ｄ，ｅ，ｆ，ｇ）の内側からみて表側布１が覆われるように天幕状仕切り布４を設け、その際に天幕状仕切り布４は、表側布１の裏側に横幕状仕切り布３の縁部を縫着し、表側布１の裏側と天幕状仕切り布４の表側との隙間に、繊維系多孔質材５を充填して緩衝性区画を設け、天幕状仕切り布４の裏側には蓄熱性および放熱性を有する粒状充填材６ａ，６ｂを収容して畜・放熱性区画を設けている。
【００２９】
図２に示すように、実施形態の布製袋の表側布１と裏側布２は、それぞれ二重に重ねた生地７、８、生地９、１０を用いて耐久性を向上させたものであり、これらはポリエステル生地やＴ／Ｃブロードなどの生地を採用することができる。
【００３０】
なお、図３に示すように、略長方形状の布製袋の全周縁は、パイピング１１によって始末しておくことが、枕の使用強度を高めるために好ましい。
【００３１】
また、図４に示すように、寝具用枕Ａ´は、筒状の布製袋の両端部にも開口を閉鎖可能な大きさの長方形の横幕状仕切り布３を当て、前記筒状の端面に沿って環状のパイピング１１を設けて閉鎖空間区（ａ，ｂ，ｃ，ｅ，ｆ，ｇ）の層厚を略均一にしたものである。このようにすると、閉鎖空間区（ａ，ｂ，ｃ，ｅ，ｆ，ｇ）に隅々まで凡そ一定の厚みで蓄熱性および放熱性を有するように多くの粒状充填材６ａを収容できるので、寝具用枕Ａ´の表面温度は隅々より均一に保たれやすい。
【００３２】
また、図５に示すように、７つの閉鎖空間区（ａ，ｂ，ｃ，ｄ，ｅ，ｆ，ｇ）に対応する裏側布２には、それぞれチャック１２付きの開口部を設けており、粒状充填材６ａ，６ｂを枕に充填する作業が容易にできる。
【００３３】
実施形態の寝具用枕Ａ，Ａ´は、各閉鎖空間区またはその区画に、選択的に採用される所定の充填材を充填してそれぞれの区画ごとに高さ調節が可能なものであり、また前記所定の粒状充填材６ａ，６ｂの種類や材質を選択して体感温度や柔らかさを調整できるものである。
【００３４】
この発明に用いる繊維系多孔質材５は、布団やぬいぐるみ、枕の詰め物として周知の物を用いることができ、綿や羊毛等の天然繊維またはポリエステル繊維などの合成繊維からなるものである。
【００３５】
まとまった状態で適当なクッション性があるように、繊維にカールやクリンプ(縮れ)を加工により形成したものを使用してもよい。また、粒綿と呼ばれ、例えば粒径３〜７ｍｍ程度の粒状にまとめられた綿を用いると、圧縮が繰り返される使用状態でも「へたり」と呼ばれる弾性力の低下した状態になり難く、粒子同士の隙間に含まれる空気量も多いので好ましいものである。
【００３６】
この発明に用いる粒状充填材６ａ，６ｂは、枕の詰め物として周知の形状や大きさに成形された粒状のものであり、クッション性を高めるために、中空粒状または発泡に依る多孔質粒状に加工されたものを採用することが好ましい。
【００３７】
このうち、中空粒体が、所定肉厚の殻壁に１以上の開口部を有する球６ｂ、楕円球、殻状もしくは多面体状の中空粒体または筒状の中空粒体６ａであれば、樹脂製中空粒体は弾性変形しやすくなってクッション性もよい充填材になり、また中空粒体の集合物内部の空気の流通性によって、放熱作用も良好である。
【００３８】
樹脂製の中空粒体は、粒状の殻壁が、肉厚０．１〜０．５ｍｍ程度の薄肉であれば、樹脂中に分散させる火山灰やシラス、潜熱蓄熱材が、樹脂を介して熱を穏やかに伝えやすく、使用者の頭部に心地よい温感や冷感を与えることができるので、好ましい。
【００３９】
上記所定の充填材としては、以下のものが挙げられる。
（１）蓄熱性および放熱性を有する粒状充填材として、火山灰またはシラス粉末を含有する合成樹脂からなる中空の粒状充填材を採用できる。
火山灰は、体温で３５〜３７℃程度に加熱された状態で、遠赤外線をできるだけ効率よく発生させることができるものであることが好ましく、成分は特に限定されるものではないが、火山灰の成分として、ケイ素を主成分とし、アルミニウムやマグネシウムが含有されているものを使用して所期した結果を得ている。
【００４０】
シラス粉末は、白砂、白洲とも記され、火砕流によって生じた火山噴出物であり、特に九州南部地方に分布する地層から採取される細粒の軽石や火山灰からなるものである。
【００４１】
因みに、一般的なシラスの成分は、火山灰と同様であるが、ケイ酸の他、酸化アルミニウム、酸化マグネシウムが含まれ、また斜長石や石英なども含まれている火山ガラスであり、５０〜６０％程度の空隙を含み、比重は１．３程度である。シラスが具有する脱臭性は、前記空隙による多孔質性によるものと考えられる。
【００４２】
合成樹脂としては、適度に柔軟で弾性変形する合成樹脂を採用することが好ましく、特に所定の樹脂に限定されるものではないが、例えば軟質ポリエチレン、エチレンビニルアルコール（ＥＶＡ）樹脂その他のポリオレフィン系樹脂、ウレタン樹脂、シリコーン樹脂、熱可塑性エラストマーその他ゴムを含めたエラストマー樹脂、もしくはこれら各種ポリマーの共重合体、または２種以上が混合された組成物などが挙げられる。
【００４３】
このような樹脂に対する火山灰またはシラス粉末の配合量は、例えば１〜３０質量％であれば充分な作用を発揮させることができ、好ましくは２〜６質量％の配合量によって効率の良い蓄熱性および放熱性を発揮できる。
【００４４】
（２）上記蓄熱性および放熱性を有する粒状充填材が、潜熱蓄熱材を含有する合成樹脂からなる中空の粒状充填材を採用できる。
潜熱蓄熱材は、枕を冷却するために使用できる周知の素材であればよく、特に種類を限定したものでなくてもよいが、万一にも皮膚に触れた場合の安全性を考慮すると、融点２２〜３７℃のパラフィン系潜熱蓄熱材を内包するマイクロカプセル粉末を分散状態で保持させた枕用粒状充填材であることが好ましい。
【００４５】
潜熱蓄熱材を内包するマイクロカプセルは、ins Situ 重合法などによってメラミン樹脂等の樹脂その他の高分子からなる膜形成材料を用い、周知のマイクロカプセル化技術により製造できる。
【００４６】
適当な融点２２〜３７℃のパラフィンとしては、常温で液体であり、例えば高沸点の鎖状または環状（ナフテン系）の炭素数１７〜２０のアルカン飽和炭化水素の混合物である流動パラフィンが使用可能である。
【００４７】
上記の所定融点温度範囲未満の低融点のパラフィン系潜熱蓄熱材では、枕を使用する以前に室温２２℃未満で融解する可能性があるので、枕の使用前に冷却機能が失われてしま
うので好ましくない。また、３７℃を超える高融点のパラフィン系潜熱蓄熱材では、使用
者の体温（体表面温度）が少なくとも３７℃を超えなければ冷却機能が発揮できないから
、体温３６℃程度の平常の体温で冷却機能を充分に発揮できなくなるので好ましくない。
また、夏季などの比較的高温の室内における使用状態を考慮すると、融点２９℃以上（３
７℃以下）のパラフィン系潜熱蓄熱材の採用が好ましい。
【００４８】
このような融点のパラフィン系潜熱蓄熱材として、いわゆる流動パラフィンを例示でき
るが、それらはアルキルナフテン炭化水素の混合物とも称され、原油の蒸留によって沸点
３３０〜３９０℃のスピンドル油からエンジン油の留分をとり、溶剤抽出や水素化によっ
て不飽和炭化水素と芳香族炭化水素を除き、発煙硫酸で繰り返し精製し、中和した後、活
性アルミナなどで吸着処理して得られる。
【００４９】
このようなパラフィン基原油を原料とする流動パラフィンは、通常、炭素数が１５〜２
０程度の鎖状アルカンを主成分とするが、ナフテン基原油を原料とするものであれば、前
記同程度の炭素数のシクロアルカンを主成分としてもよい。
【００５０】
このような潜熱蓄熱材は、例えばマイクロカプセル粉末として、その所定量をポリエチレン等の中空粒体を成形するための樹脂に練りこみ、成形することにより粒状充填材が得られる。成形方法としては、押出成形、中空成形（ブロー成形、真空成形）、射出成形その他、使用する樹脂に適当な成形方法を採用可能である。
【００５１】
中空粒体を形成する樹脂は、前述した(1)で用いる合成樹脂と同様である。
潜熱蓄熱材の合成樹脂への配合量は、５〜３０質量％であることが好ましい。上記所定量未満の少量では、中空粒体の集合物が充分に蓄熱性を発揮できず、充分な冷感を得ることが困難になり、上記所定量を超える多量を配合してもそれ以上の冷感作用の改善は認められず、添加効率が低下して実用性が低下するからである。このような傾向から、より好ましいマイクロカプセル粉末の添加量は、１０〜２５質量％であり、通常、１５〜２０質量％を目安に添加して好ましい結果を得ている。
【００５２】
上述した素材を用いて、各閉鎖空間区および各区画に充填する好ましい素材の選択としては、以下の例が挙げられる。
図１、２に示すように、首筋部支持用の閉鎖空間区ｅ，ｆ，ｇの天幕状仕切り布４の裏側に、火山灰を含有する合成樹脂からなる中空の粒状充填材６ａを収容し、かつ頭部支持用の閉鎖空間区ｄの天幕状仕切り布４の裏側には、融点２２〜３７℃のパラフィン系潜熱蓄熱材を含有する合成樹脂からなる中空筒状の粒状充填材６ｂを収容し、その他の閉鎖空間区ａ，ｂ，ｃの天幕状仕切り布の裏側には、シラス粉末を含有する合成樹脂からなる中空の粒状充填材６ａを収容する。
【００５３】
図６に示すように、上記した実施形態を使用すると、枕の使用者Ｂの後頭部Ｂ１は、天幕状仕切り布４裏側に収容された融点２２〜３７℃のパラフィン系潜熱蓄熱材を含有する合成樹脂からなる中空の粒状充填材６ｂから充分な冷却作用を受け、しかも熱量は緩衝性区画の繊維系多孔質材５を介して穏やかに、かつ無駄なく効率よく伝わる。
【００５４】
また、同様に使用者Ｂの首筋部Ｂ２は、首筋部支持用の閉鎖空間区ｆの天幕状仕切り布４の裏側に充填されたクッション性のある緩衝性区画の繊維系多孔質材５を介して穏やかに火山灰から放射される遠赤外線で温められる。
【００５５】
このようにして、使用者は、後頭部を冷却しつつ首筋は温められて快適な睡眠を誘う温度調整が可能となり、またシラス粉末の脱臭性によって枕への体臭の吸着は防止される。
【符号の説明】
【００５６】
１  表側布
２  裏側布
３  横幕状仕切り布
４  天幕状仕切り布
５  繊維系多孔質材
６ａ，６ｂ  粒状充填材
７、８、９、１０  生地
１１  パイピング
１２  チャック
Ａ  寝具用枕
Ｂ  使用者
Ｂ１  後頭部
Ｂ２  首筋部
Ｂ３  頬
ａ，ｂ，ｃ，ｄ，ｅ，ｆ，ｇ  閉鎖空間区
【図１】
2019017647.tif 000003
【図２】
2019017647.tif 000004
【図３】
2019017647.tif 000005
【図４】
2019017647.tif 000006
【図５】
2019017647.tif 000007
【図６】
2019017647.tif 000008